(57)【要約】      （修正有）【課題】液晶分子を基板面と平行な面内において制御して画像を表示する半透過反射表示において、明暗反転を防止する。【解決手段】一対の基板１，２間の間隙に、液晶分子３ａが基板面と実質的に平行に配列し、且つΔｎｄが透過光に１／４波長の位相差を与える値に設定された液晶層３を封入し、一方の基板の内面に、横電界を生成する複数の信号電極４とコモン電極５とを設け、観察側とは反対側の基板２の内面に、画素１００内の予め定めた領域にそれぞれ対応させて、画素１００を反射表示部１００ａと透過表示部１００ｂとに区分する反射膜１９を設け、いずれかの基板の内面に、画素１００の反射表示部１００ａにそれぞれ対応させて、反射表示部１００ａの液晶層厚ｄ１を、反射表示部１００ａのΔｎｄ１が、透過光に１／４波長の位相差を与える値になる厚さに調整する液晶層厚調整層２０と、λ／４位相差層２３とを設けた。【選択図】図２
2008009155.tif 000002
【特許請求の範囲】
【請求項１】
予め定めた間隙を設けて対向配置された観察側及びその反対側の一対の基板と、
前記一対の基板間の間隙に封入され、液晶分子がその分子長軸を予め定めた一方の方向に揃えて前記基板面と実質的に平行に配列された液晶層と、
前記一対の基板の互いに対向する内面のうちのいずれか一方に互いに絶縁して配置され、前記基板面と実質的に平行な横電界を生成し、この横電界によって前記液晶分子の配向方位が制御される複数の画素をマトリックス状に配列させて形成するための複数の信号電極及び複数のコモン電極と、
前記反対側の基板の内面または外面に、前記複数の画素内の予め定めた領域にそれぞれ対応させて設けられ、前記観察側から入射した光を反射して前記観察側へ出射する反射表示部と、前記観察側とは反対側から入射した光を透過させて前記観察側へ出射する前記反射表示部以外の透過表示部とを前記複数の画素毎に形成するための反射膜と、
前記一対の基板の少なくともいずれか一方の内面に、前記複数の画素の前記反射表示部にそれぞれ対応させて形成され、前記反射表示部の前記液晶の屈折率異方性Δｎと液晶層厚ｄとの積Δｎｄの値が、前記透過表示部の前記液晶の屈折率異方性Δｎと液晶層厚ｄとの積Δｎｄの値に比べて透過光の１／４波長に相当する値だけ小さくなるように、前記反射表示部の液晶層厚を調整するための液晶層厚調整層と、
前記一対の基板の外面にそれぞれ配置された観察側及びその反対側の一対の偏光板と、
前記反射表示部と前記透過表示部のいずれか一方に対応させて、前記反射膜と観察側の偏光板との間、或いは前記一対の偏光板の間に設けられ、透過光に１／４波長の位相差を与えるλ／４位相差層と、
を備えることを特徴とする液晶表示素子。
【請求項２】
一対の偏光板は、それぞれの吸収軸を実質的に直交させて配置されていることを特徴とする請求項１に記載の液晶表示素子。
【請求項３】
一対の偏光板の一方は、その吸収軸を、無電界時の液晶分子の分子長軸の向きと実質的に平行にして配置され、他方の偏光板は、その吸収軸を、前記無電界時の液晶分子の分子長軸の向きに対して実質的に直交させて配置され、複数の画素の反射表示部にそれぞれ対応するλ／４位相差層は、その遅相軸を、前記一対の偏光板の吸収軸及び前記無電界時の液晶分子の分子長軸の向きに対して実質的に４５°ずらして設けられていることを特徴とする請求項２に記載の液晶表示素子。
【請求項４】
λ／４位相差層は、一対の基板のいずれか一方の内面に設けられていることを特徴とする請求項１に記載の液晶表示素子。
【請求項５】
λ／４位相差層は反射表示部に対応させて設けられ、液晶層厚調整層は、一対の基板の少なくともいずれか一方の内面に設けられた透明膜と、前記λ／４位相差層とにより形成されていることを特徴とする請求項４に記載の液晶表示素子。
【請求項６】
λ／４位相差層は反射表示部に対応させて設けられ、液晶層厚調整層は、前記λ／４位相差層により形成されていることを特徴とする請求項４に記載の液晶表示素子。
【発明の詳細な説明】
【技術分野】
【０００１】
この発明は、液晶分子の配向方位を基板面と実質的に平行な面内において制御して画像を表示する液晶表示素子に関する。
【背景技術】
【０００２】
液晶表示素子として、予め定めた間隙を設けて対向配置された一対の基板間の間隙に、液晶分子がその分子長軸を予め定めた一方の方向に揃えて前記基板面と実質的に平行に配列された液晶層を封入し、前記一対の基板の互いに対向する内面のうちの一方の基板の内面に、前記基板面と実質的に平行な横電界を生成し、この横電界によって前記液晶分子の配向方位が制御される複数の画素をマトリックス状に配列させて形成するための複数の信号電極及び複数のコモン電極を設け、前記一対の基板の外面にそれぞれ偏光板を配置したものがある（特許文献１参照）。
【０００３】
この液晶表示素子は、一方の基板の内面に設けられた複数の信号電極とコモン電極との間にそれぞれ表示データに対応した横電界を生成することにより、前記液晶分子の配向方位を前記基板面と実質的に平行な面内において制御して画像を表示する。
【特許文献１】特開２００２−８２３５７号公報
【発明の開示】
【発明が解決しようとする課題】
【０００４】
上述した液晶表示素子は、一対の基板の観察側とは反対側の基板側から入射し、液晶層を透過した光によって画像を表示する透過型の表示素子であって、観察側から入射しだ外光によって画像を表示することができなかった。
【０００５】
この発明は、液晶分子の配向方位を基板面と実質的に平行な面内において制御して画像を表示し、しかも、観察側から入射した光を反射し、その光の前記観察側への出射を制御して画像を表示する反射表示と、観察側とは反対側から入射した光の前記観察側への出射を制御して画像を表示する透過表示とを、明暗を反転させること無く行なうことができる液晶表示素子を提供することを目的としたものである。
【課題を解決するための手段】
【０００６】
この発明の液晶表示素子は、
予め定めた間隙を設けて対向配置された観察側及びその反対側の一対の基板と、
前記一対の基板間の間隙に封入され、液晶分子がその分子長軸を予め定めた一方の方向に揃えて前記基板面と実質的に平行に配列された液晶層と、
前記一対の基板の互いに対向する内面のうちのいずれか一方に互いに絶縁して配置され、前記基板面と実質的に平行な横電界を生成し、この横電界によって前記液晶分子の配向方位が制御される複数の画素をマトリックス状に配列させて形成するための複数の信号電極及び複数のコモン電極と、
前記反対側の基板の内面または外面に、前記複数の画素内の予め定めた領域にそれぞれ対応させて設けられ、前記観察側から入射した光を反射して前記観察側へ出射する反射表示部と、前記観察側とは反対側から入射した光を透過させて前記観察側へ出射する前記反射表示部以外の透過表示部とを前記複数の画素毎に形成するための反射膜と、
前記一対の基板の少なくともいずれか一方の内面に、前記複数の画素の前記反射表示部にそれぞれ対応させて形成され、前記反射表示部の前記液晶の屈折率異方性Δｎと液晶層厚ｄとの積Δｎｄの値が、前記透過表示部の前記液晶の屈折率異方性Δｎと液晶層厚ｄとの積Δｎｄの値に比べて透過光の１／４波長に相当する値だけ小さくなるように、前記反射表示部の液晶層厚を調整するための液晶層厚調整層と、
前記一対の基板の外面にそれぞれ配置された観察側及びその反対側の一対の偏光板と、
前記反射表示部と前記透過表示部のいずれか一方に対応させて、前記反射膜と観察側の偏光板との間、或いは前記一対の偏光板の間に設けられ、透過光に１／４波長の位相差を与えるλ／４位相差層と、
を備えることを特徴とする。
【０００７】
この発明の液晶表示素子において、前記一対の偏光板は、それぞれの吸収軸を実質的に直交させて配置するのが望ましい。
【０００８】
さらに、前記一対の偏光板の一方は、その吸収軸を、無電界時の液晶分子の分子長軸の向きと実質的に平行にして配置し、他方の偏光板は、その吸収軸を、前記無電界時の液晶分子の分子長軸の向きに対して実質的に直交させて配置し、前記複数の画素の反射表示部にそれぞれ対応する前記λ／４位相差層は、その遅相軸を、前記一対の偏光板の吸収軸及び前記無電界時の液晶分子の分子長軸の向きに対して実質的に４５°ずらして設けるのが望ましい。
【０００９】
また、前記λ／４位相差層は、前記一対の基板のいずれか一方の内面に設けるのが望ましい。
【００１０】
その場合は、前記λ／４位相差層を前記反射表示部に対応させて設け、前記液晶層厚調整層を、前記一対の基板の少なくともいずれか一方の内面に設けられた透明膜と、前記λ／４位相差層とにより形成するのが好ましい。
【００１１】
或いは、前記λ／４位相差層を前記一対の基板のいずれか一方の内面に設ける場合は、λ／４位相差層を前記反射表示部に対応させて設け、液晶層厚調整層を、前記λ／４位相差層により形成するのが好ましい。
【発明の効果】
【００１２】
この発明の液晶表示素子は、一対の基板の互いに対向する内面のうちのいずれか一方に互いに絶縁して配置され、前記基板面と実質的に平行な横電界を生成し、この横電界によって液晶分子の配向方位が制御される複数の画素をマトリックス状に配列させて形成するための複数の信号電極と複数のコモン電極との間にそれぞれ表示データに対応した横電界を生成することにより、前記複数の画素の液晶分子の配向方位を制御して画像を表示する。
【００１３】
そして、この液晶表示素子は、観察側とは反対側の基板の内面または外面に、前記複数の画素内の予め定めた領域にそれぞれ対応させて、前記観察側から入射した光を反射して前記観察側へ出射する反射表示部と、前記観察側とは反対側から入射した光を透過させて前記観察側へ出射する前記反射表示部以外の透過表示部とを前記複数の画素毎に形成するための反射膜を設けているため、観察側から入射した光を反射し、その光の前記観察側への出射を制御して画像を表示する反射表示と、観察側とは反対側から入射した光の前記観察側への出射を制御して画像を表示する透過表示とを行なうことができる。
【００１４】
しかも、この液晶表示素子は、前記液晶層のΔｎｄを、透過光に１／２波長の位相差を与える値に設定し、且つ、前記一対の基板の少なくともいずれか一方の内面に、前記複数の画素の前記反射表示部にそれぞれ対応させて、前記反射表示部のΔｎｄの値が、前記透過表示部のΔｎｄの値に比べて透過光の１／４波長に相当する値だけ小さくなるように、前記反射表示部の液晶層厚を調整するための液晶層厚調整層を形成するとともに、前記反射表示部と前記透過表示部のいずれか一方に対応させて、前記反射膜と観察側の偏光板との間、或いは前記一対の偏光板の間に、透過光に１／４波長の位相差を与えるλ／４位相差層を設けているため、前記反射表示と透過表示とを、明暗を反転させること無く行なうことができる。
【００１５】
この発明の液晶表示素子において、前記一対の偏光板は、それぞれの吸収軸を実質的に直交させて配置するのが望ましく、このようにすることにより、前記反射表示部と透過表示部の両方の表示を無電界暗表示にするとともに、前記透過表示の視野を広くすることができる。
【００１６】
さらに、前記一対の偏光板の一方は、その吸収軸を、無電界時の液晶分子の分子長軸の向きと実質的に平行にして配置し、他方の偏光板は、その吸収軸を、前記無電界時の液晶分子の分子長軸の向きに対して実質的に直交させて配置し、前記複数の画素の反射表示部にそれぞれ対応する前記λ／４位相差層は、その遅相軸を、前記一対の偏光板の吸収軸及び前記無電界時の液晶分子の分子長軸の向きに対して実質的に４５°ずらして設けるのが望ましく、このようにすることにより、前記反射表示と透過表示の両方の明るさ及びコントラストを高くすることができる。
【００１７】
また、前記λ／４位相差層は、前記一対の基板のいずれか一方の内面に設けるのが望ましく、このようにすることにより、前記反射表示部と透過表示部とのうち、前記λ／４位相差層が設けられた表示部の表示の視角依存性を小さくすることができる。
【００１８】
その場合は、前記λ／４位相差層を前記反射表示部に対応させて設け、前記液晶層厚調整層を、前記一対の基板の少なくともいずれか一方の内面に設けられた透明膜と、前記λ／４位相差層とにより形成するのが好ましく、このようにすることにより、液晶表示素子の製造を容易にすることができる。
【００１９】
或いは、前記λ／４位相差層を前記一対の基板のいずれか一方の内面に設ける場合は、λ／４位相差層を前記反射表示部に対応させて設け、液晶層厚調整層を、前記λ／４位相差層により形成するのが好ましく、このようにすることにより、液晶表示素子の製造をさらに容易にすることができる。
【発明を実施するための最良の形態】
【００２０】
（第１の実施形態）
図１〜図６はこの発明の第１の実施例を示しており、図１は液晶表示素子の一方の基板の一部分の平面図、図２は前記液晶表示素子の図１のII−II線に沿う断面図、図３は前記液晶表示素子の図１のIII−III線に沿う断面図、図４は前記液晶表示素子の図１のIV−IV線に沿う断面図、図５は前記液晶表示素子の一対の基板の配向処理方向と一対の偏光板の吸収軸の向きとλ／４位相差層の遅相軸の向きを観察側から見た図、図６は前記液晶表示素子の１つの画素における無電界時と横電界生成時の液晶分子の分子長軸の向きを観察側から見た図である。
【００２１】
この液晶表示素子は、図１〜図４のように、予め定めた間隙を設けて対向配置された観察側（図２〜図４において上側）及びその反対側の一対の透明基板１，２と、前記一対の基板１，２間の間隙に封入され、液晶分子３ａがその分子長軸を予め定めた一方の方向に揃えて前記基板１，２面と実質的に平行に配列された液晶層３と、前記一対の基板１，２の互いに対向する内面のうちの一方の基板の内面、例えば観察側とは反対側の基板２の内面に、互いに絶縁して配置され、前記基板１，２面と実質的に平行な横電界を生成し、この横電界によって前記液晶分子３ａの配向方位が制御される複数の画素１００を行方向（画面の左右方向）及び列方向（画面の上下方向）にマトリックス状に配列させて形成するための複数の信号電極４及び複数のコモン電極５と、前記一対の基板１，２の外面にそれぞれ配置された観察側及びその反対側の一対の偏光板２１，２２とを備えている。
【００２２】
以下、前記観察側の基板１を前基板、観察側とは反対側の基板２を後基板、前記前基板１の外面に配置された観察側の偏光板２１を前側偏光板、前記後基板２の外面に配置された反対側の偏光板２２を後側偏光板という。
【００２３】
前記一対の基板１，２は、図示しない枠状のシール材を介して接合されており、前記液晶層３は、前記一対の基板１，２間の間隙の前記シール材により囲まれた領域に封入されている。
【００２４】
この液晶表示素子は、アクティブマトリックス液晶表示素子であり、前記複数の信号電極４及びコモン電極５が設けられた後基板２の内面に、前記信号電極４とコモン電極５との間に生成された前記横電界により前記液晶分子３ａの配向方位が制御される領域からなるマトリックス状に配列した複数の画素１００毎に配置された能動素子６を備えている。
【００２５】
この能動素子６は、信号の入力電極１０及び出力電極１１と、前記入力電極１０と出力電極１１との間の導通を制御する制御電極７とを有しており、前記制御電極７が各行毎に走査線１２に接続され、前記入力電極１０が各列毎に信号線１３に接続され、前記出力電極１１が前記信号電極４に接続されている。
【００２６】
前記能動素子６は、ＴＦＴ（薄膜トランジスタ）であり、前記後基板２の基板面上に形成されたゲート電極（制御電極）７と、前記ゲート電極７を覆って後基板２の略全面に形成された透明なゲート絶縁膜８と、このゲート絶縁膜８の上に前記ゲート電極７と対向させて形成されたｉ型半導体膜９と、前記ｉ型半導体膜９の両側部の上にｎ型半導体膜（図示せず）を介して設けられたドレイン電極（入力電極）１０及びソース電極（出力電極）１１とからなっている。
【００２７】
前記走査線１２は、前記後基板２の基板面上に、前記行方向に配列された複数の画素１００からなる各画素行毎に、前記画素行の一側（図１において下側）に前記画素行と平行に形成され、各行のＴＦＴ６のゲート電極７に接続されており、前記信号線１３は、前記ゲート絶縁膜８の上に、前記列方向に配列された複数の画素１００からなる各画素列毎に、前記画素列の一側（図１において左側）に前記画素列と平行に形成され、各列のＴＦＴ６のドレイン電極１０に接続されている。
【００２８】
なお、前記後基板２の縁部には、前記前基板１の外方に張出す端子配列部（図示せず）が形成されており、前記走査線１２及び信号線１３は、前記端子配列部に設けられた複数の走査線端子及び信号線端子に接続されている。
【００２９】
そして、前記コモン電極５は、前記ゲート絶縁膜８の上に形成され、前記複数の信号電極４は、前記コモン電極５及びＴＦＴ６を覆って前記後基板２の略全面に形成された透明な層間絶縁膜１４の上に形成されている。すなわち、前記複数の信号電極４と前記コモン電極５は、前記層間絶縁膜１４により絶縁されている。
【００３０】
前記複数の信号電極４はそれぞれ、縦幅（画面の上下方向の幅）が横幅（画面の左右方向の幅）よりも大きい縦長の矩形形状の領域に、その長手方向に沿う複数の櫛歯部４ｂが間隔を設けて互いに平行に形成され、前記長手方向の一端側に、前記複数の櫛歯部４ｂ，４ｂ同士をつなぐ櫛歯接続部４ｄが形成された透明な櫛形導電膜（例えばＩＴＯ膜）４ａからなっている。
【００３１】
この櫛形導電膜４ａの各櫛歯部４ｂは、図６のように、前記画面の上下方向、つまり画面の縦軸ｙに対して、左右いずれか一方回りの方向、例えば観察側から見て右回り方向に５°〜１５°の角度θで傾いた方向に沿う細長形状に形成されており、これらの櫛歯部４ｂのうち、前記櫛歯接続部４ｄに直接つながらない櫛歯部（図１において、櫛形導電膜４ａの左端の櫛歯部）４ｂは、前記櫛歯接続部４ｄとは反対側の端部において隣合う櫛歯部に接続され、その隣合う櫛歯部４ｂを介して前記櫛歯接続部４ｄにつながっている。
【００３２】
また、この櫛形導電膜４ａの各櫛歯部４ｂの幅Ｄ１と、隣合う櫛歯部４ｂ，４ｂ間の間隔Ｄ２との比Ｄ２／Ｄ１は、１／３〜３／１、好ましくは１／１に設定されている。
【００３３】
そして、前記櫛形導電膜４ａの櫛歯接続部４ｄの一端側は、前記ＴＦＴ６のソース電極１１上に前記層間絶縁膜１４を介して重なっており、前記層間絶縁膜１４に設けられた図示しないコンタクト孔において前記ソース電極１１に接続されている。
【００３４】
また、前記ゲート絶縁膜８の上に形成された前記コモン電極５は、前記各画素行毎にその全長にわたって設けられた透明な行方向導電膜（例えばＩＴＯ膜）５ａからなっており、前記櫛形導電膜４ａからなる信号電極４と、前記行方向導電膜５ａからなるコモン電極５とにより、前記信号電極４の各櫛歯部４ｂの縁部４ｃと、前記コモン電極５の前記各櫛歯部４ｂの縁部４ｃに隣接する部分（隣合う櫛歯部４ｂ，４ｂの間に対応する部分）との間に、前記後基板２の基板面と実質的に平行な方向の横電界Ｅを生成し、この横電界Ｅにより前記液晶分子３ａの配向方位を前記基板１，２面と実質的に平行な面内において制御する実質的に縦長矩形形状の画素１００が形成されている。
【００３５】
なお、この実施例では、前記行方向導電膜５ａを、図１のように、前記櫛形導電膜４ａからなる各信号電極４にそれぞれ対応する領域を、縦長矩形形状の電極部５ｂにパターニングし、これらの電極部５ｂ，５ｂをその一端側（走査線１２が設けられた側とは反対側）において接続部５ｃにより接続した形状に形成しているが、この行方向導電膜５ａは、前記画素行の全長にわたって前記画素１００の縦幅（画面の上下方向の幅）に対応する幅に形成してもよい。
【００３６】
前記行方向導電膜５ａは、前記複数の信号線１３の上を横切って形成されており、この前記行方向導電膜５ａと前記信号線１３との交差部は、前記信号線１３を覆って設けられた図示しない絶縁膜により絶縁されている。
【００３７】
また、前記各画素行にそれぞれ対応する複数の行方向導電膜５ａは、前記複数の信号電極４の配列領域の一端側の外側において共通接続されており（図示せず）、その共通接続部は、前記後基板２の前記端子配列部に設けられたコモン電極端子に接続されている。
【００３８】
一方、前記前基板１の内面には、前記複数の画素１００の間の領域及び前記複数のＴＦＴ６に対応する遮光膜１５が形成されており、その上に、前記複数の画素１００にそれぞれ対応する赤、緑、青の３色のカラーフィルタ１６Ｒ，１６Ｇ，１６Ｂが設けられている。
【００３９】
そして、前記一対の基板１，２の内面にはそれぞれ、前記前基板１に設けられたカラーフィルタ１６Ｒ，１６Ｇ，１６Ｂ及び前記後基板２に設けられたコモン電極５を覆って、ポリイミド膜等からなる水平配向膜１７，１８が形成されており、これらの基板１，２の内面は、前記配向膜１７，１８の膜面を互いに平行で且つ逆向き方向にラビングすることにより配向処理されている。
【００４０】
また、前記液晶層３は、正の誘電異方性を有するネマティック液晶からなっており、その液晶分子３ａは、分子長軸を、前記一対の基板１，２の内面の配向処理方向により規定される予め定めた一方の方向に揃え、その方向に僅かにプレチルトした状態で、前記基板１，２面と実質的に平行に配列している。
【００４１】
そして、この液晶層３の液晶層厚ｄは、後述する透過表示部において、液晶の屈折率異方性Δｎと前記液晶層厚ｄとの積Δｎｄが、透過光に１／２波長の位相差を与える値（約２７５ｎｍ）になるように設定されている。
【００４２】
さらに、この液晶表示素子は、前記一方の基板１，２のうち、前記後基板２の内面に、前記複数の画素（信号電極４とコモン電極５との間に生成された横電界Ｅにより液晶分子３ａの配向方位が制御される領域）１００内の予め定めた領域にそれぞれ対応させて反射膜１９が設けられている。
【００４３】
この反射膜１９は、前記それぞれの画素１００に、前記観察側、つまり前記前基板１の外面側から入射した光を反射して前記観察側へ出射する反射表示部１００ａと、前記観察側とは反対側から入射した光を透過させて前記観察側へ出射する前記反射表示部１００ａ以外の透過表示部１００ｂとを形成している。
【００４４】
さらに、前記一対の基板１，２の少なくともいずれか一方の内面、例えば前記前基板１の内面には、前記複数の画素１００の前記反射表示部１００ａにそれぞれ対応させて、前記反射表示部１００ａの液晶層厚ｄ１を、前記反射表示部１００ａのΔｎｄが、透過光に１／４波長の位相差を与える値（約１３７ｎｍ）になる厚さに調整する液晶層厚調整層２０が形成されている。
【００４５】
すなわち、この液晶層厚調整層２０は、前記反射表示部１００ａの液晶の屈折率異方性Δｎと液晶層厚ｄとの積Δｎｄの値が、前記透過表示部の前記液晶の屈折率異方性Δｎと液晶層厚ｄとの積Δｎｄの値に比べて透過光の１／４波長に相当する値だけ小さくなる厚さに形成されている。
【００４６】
また前記一方の内面には、前記複数の画素１００の反射表示部１００ａと前記透過表示部１００ｂのいずれか一方に対応させて、前記反射膜１９と前記前側偏光板２１との間、或いは前記前側及び後側の一対の偏光板２１，２２の間に設けられ、透過光に１／４波長の位相差を与えるλ／４位相差層２３とを備えている。
【００４７】
前記反射膜１９は、銀またはアルミニウム合金膜等の高い光反射率を有する金属膜からなっており、前記後基板２の基板面上に、前記複数の画素１００内の予め定めた領域、例えば矩形形状をなす画素１００の長手方向の中央部から一端側の領域にそれぞれ対応させて形成されている。
【００４８】
また、この実施例では、前記一対の基板１，２のいずれか一方の内面、例えば前基板１の内面に、前記反射表示部１００ａに対応させて、光学的に等方性な透明膜２０ａと前記λ／４位相差層２３とを設け、前記透明膜２０ａと前記λ／４位相差層２３とからなる液晶層厚調整層２０を形成している。
【００４９】
なお、前記透明膜２０ａは、前記前基板１の内面に設けられた前記カラーフィルタ１５Ｒ，１５Ｇ，１５Ｂ上に形成され、前記λ／４位相差層２３は、前記透明膜２０ａの上に形成されている。
【００５０】
そして、この液晶表示素子では、透明膜２０ａとλ／４位相差層２３との積層膜からなる液晶層厚調整層２０を、前記反射表示部１００ａの液晶層厚ｄ１が他の領域の液晶層厚ｄの略１／２になる膜厚に形成し、前記反射表示部１００ａのΔｎｄ１を、透過光に１／４波長の位相差を与える約１３７ｎｍに設定している。
【００５１】
なお、前記複数の画素１００の透過表示部１００ｂの液晶層厚ｄ２は、前記反射表示部１００ａ以外の領域の液晶層厚ｄと同じであり、したがって、前記透過表示部１００ｂのΔｎｄ２は、透過光に１／２波長の位相差を与える約２７５ｎｍである。
【００５２】
すなわち、この液晶表示素子は、一対の基板１，２間の間隙に、液晶分子３ａがその分子長軸を予め定めた一方の方向に揃えて前記基板１，２面と実質的に平行に配列された液晶層３を封入し、前記一対の基板１，２のうちの後基板２の内面に、互いに絶縁して配置され、前記基板１，２面と実質的に平行な横電界Ｅを生成し、この横電界Ｅによって前記液晶分子３ａの配向方位が制御される複数の画素１００をマトリックス状に配列させて形成するための複数の信号電極４及び複数のコモン電極５を設け、さらに、前記後基板２の内面に、前記複数の画素１００内の予め定めた領域にそれぞれ対応させて反射膜１９を設けることにより、前記画素１００を、前記予め定めた領域からなる反射表示部１００ａと、他の領域（反射膜１９の無い領域）からなる透過表示部１００ｂとに区分し、前記複数の画素１００の透過表示部１００ｂのΔｎｄ２を、透過光に１／２波長の位相差を与える値（約２７５ｎｍ）に設定し、且つ、前記前基板１の内面に、前記複数の画素１００の反射表示部１００ａにそれぞれ対応させて前記λ／４位相差層２３を設けるとともに、前記前基板１の内面に、前記透明膜２０ａと前記λ／４位相差層２３とからなる液晶層厚調整層２０を形成することにより、前記複数の画素１００の反射表示部１００ａのΔｎｄ１を、透過光に１／４波長の位相差を与える値（１３７ｎｍ）に設定したものである。
【００５３】
さらに、この液晶表示素子は、前記前基板１とその外面に配置された前側偏光板２１との間に、前記前基板１の全面にわたって、外部からの静電気を遮断するための一枚膜状の透明な静電気遮断導電膜２４を設けている。
【００５４】
前記一対の基板１，２の配向処理方向（配向膜１７，１８のラビング方向）１ａ，２ａと、前記一対の偏光板２１，２２の吸収軸２１ａ，２２ａの向きと、前記複数の画素１００の反射表示部１００ａにそれぞれ対応させて設けられたλ／４位相差層２３の遅相軸２３ａの向きは、図５のように設定されている。
【００５５】
すなわち、前基板１の内面と後基板２の内面は、前記画面の左右方向、つまり画面の横軸ｘに対して実質的に９０°ずれた方向、つまり画面の上下方向に沿って互いに逆向きに配向処理されており、前記液晶層３の液晶分子３ａは、分子長軸を、前記一対の基板１，２の配向処理方向１ａ，２ａに揃えて前記基板１，２面と実質的に平行に配列している。
【００５６】
なお、前記信号電極４とコモン電極５との間に生成される横電界Ｅは、前記信号電極４の各櫛歯部４ｂの縁部４ｃの長さ方向に対して実質的に直交する方向の電界であり、この実施例では上述したように、前記櫛歯部４ｂを、画面の縦軸ｙに対して観察側から見て右回り方向に５°〜１５°の角度θで傾いた方向に沿う細長形状に形成し、前記一対の基板１，２の内面（配向膜１７，１８の膜面）を前記縦軸ｙと実質的に平行な方向に配向処理しているため、前記一対の基板１，２の配向処理方向１ａ，２ａは、前記横電界Ｅの方向に対して前記５°〜１５°の角度で斜めに交差している。
【００５７】
そして、前記前側と後側の一対の偏光板２１，２２は、それぞれの吸収軸２１ａ，２２ａを実質的に直交させて配置され、前記複数の画素１００の反射表示部１００ａにそれぞれ対応する前記λ／４位相差層２３は、その遅相軸２３ａを、前記一対の偏光板２１，２２の吸収軸２１ａ，２２ａに対して実質的に４５°ずらして設けられている。
【００５８】
この実施例では、前記一対の偏光板２１，２２の一方、例えば前側偏光板２１の吸収軸２１ａを、前記画面の横軸ｘに対して実質的に直交させ、他方の偏光板、つまり後側偏光板２２の吸収軸２２ａを、前記画面の横軸ｘと実質的に平行にし、前記λ／４位相差層２３の遅相軸２３ａを、前記画面の横軸ｘに対して左右いずれか一方回りの方向、例えば観察側から見て左回り方向に実質的に４５°ずらしている。
【００５９】
すなわち、前記前側偏光板２１は、その吸収軸２１ａを、前記一対の基板１，２の配向処理方向１ａ，２ａ、つまり前記信号電極４とコモン電極５との間に横電界Ｅを生成させる電圧を印加しない無電界時の液晶分子３ａの分子長軸の向きと実質的に平行にして配置され、前記後側偏光板２２は、その吸収軸２２ａを、前記無電界時の液晶分子３ａの分子長軸の向きに対して実質的に直交させて配置され、前記複数の画素１００の反射表示部１００ａにそれぞれ対応する前記λ／４位相差層２３は、その遅相軸２３ａを、前記一対の偏光板２１，２２の吸収軸２１ａ，２２ａ及び前記無電界時の液晶分子の分子長軸の向きに対して実質的に４５°ずらして設けられている。
【００６０】
この液晶表示素子は、前記後基板２の内面に設けられた前記複数の信号電極４と前記コモン電極５との間にそれぞれ表示データに対応した横電界Ｅを生成することにより、前記液晶分子３ａの配向方位を前記基板１，２面と実質的に平行な面内において制御して画像を表示する。
【００６１】
そして、この液晶表示素子は、前記後基板２の内面に、前記複数の画素１００内の予め定めた領域にそれぞれ対応させて、観察側（前基板１の外面側）から入射した光を反射して前記観察側へ出射する反射表示部１００ａと、観察側とは反対側から入射した光を透過させて前記観察側へ出射する前記反射表示部１００ａ以外の透過表示部１００ｂと形成するための反射膜１９を設けているため、観察側から入射した光を反射し、その光の前記観察側への出射を制御して画像を表示する反射表示と、観察側とは反対側（後基板２の外面側）から入射した光の前記観察側への出射を制御して画像を表示する透過表示とを行なうことができる。
【００６２】
しかも、この液晶表示素子は、前記液晶層３のΔｎｄを、透過光に１／２波長の位相差を与える値に設定し、且つ、前基板１の内面に、前記複数の画素１００の反射表示部１００ａにそれぞれ対応させて、前記反射表示部１００ａの液晶層厚ｄ１を、前記反射表示部１００ａのΔｎｄ１が、透過光に１／４波長の位相差を与える値になる厚さに調整する液晶層厚調整層２０を設けるとともに、前基板１の内面に、前記反射表示部１００ａに対応させて、透過光に１／４波長の位相差を与えるλ／４位相差層２３を設けているため、前記反射表示と透過表示とを、明暗を反転させること無く行なうことができる。
【００６３】
すなわち、前記液晶層３の液晶分子３ａは、無電界時に、図６（ａ）のように一対の基板１，２の配向処理方向１ａ，２ａに配列し、前記信号電極４とコモン電極５との間に横電界Ｅが生成されることにより、図６（ｂ）のように、前記基板１，２面と実質的に平行な面内において、前記横電界Ｅの方向に対する分子長軸の角度が小さくなる方向に配列する。
【００６４】
なお、前記横電界Ｅは、上述したように、前記信号電極４の各櫛歯部４ｂの縁部４ｃと、前記コモン電極５の前記各櫛歯部４ｂの縁部４ｃに隣接する部分との間に、前記櫛歯部４ｂの長さ方向に対して実質的に直交する方向に沿って生成する。
【００６５】
そして、前記信号電極４の各櫛歯部４ｂは、画面の縦軸ｙ、つまり前記一対の基板１，２の配向処理方向１ａ，２ａに対して観察側から見て右回り方向に５°〜１５°の角度θで交差する方向に沿う細長形状に形成されているため、前記横電界Ｅは、前記無電界時における液晶分子３ａの分子長軸に対して一方の方向に６５°〜８５°の角度で斜めにずれた方向の電界であり、前記液晶分子３ａは、前記横電界Ｅが生成された画素１００の略全域において、前記横電界Ｅに対する分子長軸の角度が小さい方向、つまり前記配向処理方向１ａ，２ａに対して観察側から見て左回り方向に一様に回転し、その方向に分子長軸を揃えて配列する。
【００６６】
図６（ｂ）に示した横電界生成時の液晶分子３ａの配列方向は、前記信号電極４とコモン電極５との間に、液晶分子３ａを前記配向処理方向１ａ，２ａに対して実質的に４５°の方向に配列させる強さの横電界Ｅを生成させたときの方向である。
【００６７】
そして、この液晶表示素子では、図５に示したように、前側偏光板２１の吸収軸２１ａを、前記無電界時の液晶分子３ａの分子長軸の向きと実質的に平行にし、後側偏光板２２の吸収軸２２ａを、前記無電界時の液晶分子３ａの分子長軸の向きに対して実質的に直交（前側偏光板２１の吸収軸２１ａと直交）させ、前記複数の画素１００の反射表示部１００ａにそれぞれ対応するλ／４位相差層２３の遅相軸２３ａを、前記無電界時の液晶分子３ａの分子長軸の向きに対して実質的に４５°ずらしているため、前記横電界Ｅの生成により液晶分子３ａを前記配向処理方向１ａ，２ａに対して実質的に４５°の方向に配列させたときに、その分子長軸の向きが、前記前側偏光板２１及び後側偏光板２２の吸収軸２１ａ，２２ａに対して実質的に４５°ずれる。
【００６８】
この液晶表示素子は、外部環境の光である外光を利用する反射表示と、前記液晶表示素子の観察側とは反対側に配置される図示しない面光源からの照明光を利用する透過表示とを行なうものであり、いずれの表示を行なうときも、各画素１００の信号電極４に、前記信号線１３及びＴＦＴ６を介して、前記信号電極４とコモン電極５との間に前記液晶分子３ａの分子長軸の向きを前記配向処理方向１ａ，２ａに対して実質的に０°〜４５°の範囲の角度で制御する横電界Ｅを生成する電圧値の表示データ信号を印加することにより表示駆動される。
【００６９】
まず、反射表示について説明すると、このときは、前記液晶表示素子にその観察側から入射した外光が、前記前側偏光板２１によって直線偏光になり、その光のうち、各画素１００の反射表示部１００ａに入射した光が、前基板１の内面に前記複数の画素１００の反射表示部１００ａにそれぞれ対応させて設けられたλ／４位相差層２３と液晶層３を透過して後基板２の内面に設けられた反射膜１９により反射され、前記液晶層３と前記λ／４位相差層２３を再び透過して前記前側偏光板２１に入射する。なお、前記各画素１００の透過表示部１００ｂに入射した光は、前記液晶層３を透過して観察側とは反対側へ出射する。
【００７０】
そして、前記反射表示部１００ａのΔｎｄ１は、透過光に１／４波長の位相差を与える値に設定され、前記前側偏光板２１は、その吸収軸２１ａを、前記無電界時の液晶分子３ａの分子長軸の向き（一対の基板１，２の配向処理方向１ａ，２ａ）と実質的に平行にして配置され、前記λ／４位相差層２３は、その遅相軸２３ａを、前記前側偏光板２１の吸収軸２１ａ及び前記無電界時の液晶分子３ａの分子長軸の向きに対して実質的に４５°ずらして設けられているため、前記信号電極４とコモン電極５との間に電圧を印加しない無電界時、つまり液晶分子３ａが前記配向処理方向１ａ，２ａに分子長軸を揃えて配列したときは、前記前側偏光板２１によってその吸収軸２１ａと直交する直線偏光にされて前記画素１００の反射表示部１００ａに入射した光が、前記λ／４位相差層２３によって円偏光となって反射表示部１００ａの液晶層を進み、反射膜１９によって反射され、逆回りの円偏光になって再び前記液晶層を進行して前記λ／４位相差層２３に入射し、この前記λ／４位相差層２３によりさらに前記λ／４の位相差が与えられることによって、入射した直線偏光に対して９０゜旋光し、前記前側偏光板２１の吸収軸２１ａに対して平行な直線偏光になり、前記前側偏光板２１によって吸収される。
【００７１】
また、前記信号電極４とコモン電極５との間に、液晶分子３ａを前記一対の基板１，２配向処理方向１ａ，２ａに対して４５°の方向に配列させる強さの横電界Ｅを生成させたときは、前記液晶分子３ａの分子長軸の向きが、前記λ／４位相差層２３の遅相軸２３ａと９０゜で交差することとなり、前記液晶層３と前記λ／４位相差層２３との位相差が相殺された状態となる。
【００７２】
そのため、前記液晶分子３ａが前記横電界Ｅにより前記配向処理方向１ａ，２ａに対して４５°の方向に配列したときは、前記前側偏光板２１によってその吸収軸２１ａと直交する直線偏光にされた光は、前記λ／４位相差層２３と液晶層とを位相差が与えられることなく透過し、前記前側偏光板２１の吸収軸２１ａと直交する直線偏光のまま前記前側偏光板２１に入射し、この前側偏光板２１を透過して観察側に出射する。
【００７３】
すなわち、前記反射表示部１００ａの無電界時の表示は暗表示、横電界生成時の表示は明表示である。
【００７４】
次に、透過表示について説明すると、このときは、前記図示しない面光源から前記液晶表示素子に向けて照射された照明光が、前記後側偏光板２２によってその吸収軸２２ａと直交する直線偏光になり、その光のうち、各画素１００の透過表示部１００ｂに向かう光が前記液晶層３に入射する。なお、前記各画素１００の反射表示部１００ａに入射した光は、前記反射膜１９により反射され、前記後側偏光板２２を再び透過して観察側とは反対側（面光源側）へ出射する。
【００７５】
そして、前記透過表示部１００ｂのΔｎｄ２は、透過光に１／２波長の位相差を与える値に設定され、前記後側偏光板２２は、その吸収軸２２ａを、前記無電界時の液晶分子３ａの分子長軸の向き（一対の基板１，２の配向処理方向１ａ，２ａ）と実質的に直交させて配置され、また、前側偏光板２１は、その吸収軸２１ａを、前記無電界時の液晶分子３ａの分子長軸の向きと実質的に平行にして配置されているため、前記信号電極４とコモン電極５との間に電圧を印加しない無電界時、つまり液晶分子３ａが前記配向処理方向１ａ，２ａに分子長軸を揃えて配列したときは、前記後側偏光板２２によってその吸収軸２２ａと直交する直線偏光となって前記画素１００の透過表示部１００ｂに入射した光は、前記液晶層３を偏光状態を変えることなく透過し、その偏光面と平行な方向に吸収軸２１ａを向けて配置された前記前側偏光板２１により吸収される。。
【００７６】
また、前記信号電極４とコモン電極５との間に、液晶分子３ａを前記一対の基板１，２配向処理方向１ａ，２ａに対して４５°の方向に配列させる強さの横電界Ｅを生成させたときは、前記液晶分子３ａの分子長軸の向きが、前記後側偏光板２２により直線偏光されて前記画素１００の透過表示部１００ａに入射した光（無電界時の液晶分子３ａの分子長軸の向きに対して直行する直線偏光）の偏光面に対して実質的に４５°ずれる。
【００７７】
そのため、前記液晶分子３ａが前記横電界Ｅにより前記配向処理方向１ａ，２ａに対して４５°の方向に配列したときは、前記後側偏光板２２によってその吸収軸２２ａと直交する直線偏光になった光が、Δｎｄ２を透過光に１／２波長の位相差を与える値に設定された前記透過表示部１００ｂの液晶層３を透過する間に実質的に９０°旋光されて前記前側偏光板２１の吸収軸２１ａと直交する直線偏光になり、前記前側偏光板２１にを透過する。
【００７８】
すなわち、前記透過表示部１００ｂの無電界時の表示は暗表示、横電界生成時の表示は明表示である。
【００７９】
このように、この液晶表示素子は、前記各画素１００の反射表示部１００ａの表示と透過表示部１００ｂの表示は、いずれも無電界暗表示（ノーマリーブラック表示）であり、したがって、外光を利用する反射表示と、液晶表示素子の観察側とは反対側に配置された面光源からの照明光を利用する透過表示とを、表示の明暗を反転させること無く行なうとともに、外光の照度が不足するときに前記面光源を補助光源として利用し、反射表示と透過表示とを併用する表示を行なうことができる。
【００８０】
しかも、この液晶表示素子は、前記一対の偏光板２１，２２を、それぞれの吸収軸２１ａ，２２ａを実質的に直交させて配置しているため、前記画素１００の反射表示部１００ａと透過表示部１００ｂの両方の表示を無電界暗表示にするとともに、前記透過表示の視野を広くすることができる。
【００８１】
さらに、この液晶表示素子は、前側偏光板２１を、その吸収軸２１ａを無電界時の液晶分子３ａの分子長軸の向きと実質的に平行にして配置し、後側偏光板２２を、その吸収軸２２ａを前記無電界時の液晶分子の分子長軸の向きに対して実質的に直交させて配置し、前記複数の画素の反射表示部にそれぞれ対応する前記λ／４位相差層２３を、その遅相軸２３ａを前記一対の偏光板２１，２２の吸収軸２１ａ，２２ａ及び前記無電界時の液晶分子３ａの分子長軸の向きに対して実質的に４５°ずらして設けているため、前記反射表示部１００ａと透過表示部１００ｂの無電界時の光の出射率を実質的に最少にして十分高いコントラストを得ることができる。
【００８２】
また、前記液晶分子３ａを一対の基板１，２配向処理方向１ａ，２ａに対して４５°の方向に配列させる強さの横電界Ｅを生成させたときの光の出射率を十分高くすることができ、明るい明表示を行うことができる。したがって、前記反射表示と透過表示の両方の明るさ及びコントラストを高くすることができる。
【００８３】
なお、前記一対の基板は、前側偏光板２１の吸収軸２１ａを無電界時の液晶分子３ａの分子長軸の向きと実質的に直交させ、後側偏光板２２の吸収軸２２ａを前記無電界時の液晶分子３ａの分子長軸の向きと実質的に平行にして配置してもよく、その場合も、前記λ／４位相差層２３を、その遅相軸２３ａを前記一対の偏光板２１，２２の吸収軸２１ａ，２２ａ及び前記無電界時の液晶分子３ａの分子長軸の向きに対して実質的に４５°ずらして設けることにより、前記反射表示と透過表示の両方の明るさ及びコントラストを高くすることができる。
【００８４】
また、この液晶表示素子は、前記複数の画素１００の反射表示部１００ａにそれぞれ対応するλ／４位相差層２３を、前記一対の基板１，２のいずれか一方（この実施例では前側偏光板）２１の内面に設けているため、正面方向（液晶表示素子の法線付近の方向）に対して斜め方向から見たときの前記反射表示部１００ａの横電界Ｅにより液晶分子３ａの配向方位が制御される領域と前記λ／４位相差層２３とのずれをほとんど無くすことができ、したがって、前記反射表示部１００ａと透過表示部１００ｂとのうち、前記λ／４位相差層２３が設けられた反射表示部１００ａの表示の視角依存性を小さくすることができる。
【００８５】
さらに、この液晶表示素子は、前記λ／４位相差層２３を、前記一方の基板１の内面に、複数の画素１００の反射表示部１００ａにそれぞれ対応させて設け、前記反射表示部１００ａの液晶層厚ｄ１を前記反射表示部１００ａのΔｎｄ１が透過光に１／４波長の位相差を与える値になる厚さに調整する液晶層厚調整層２０を、前記一方の基板２１の内面に設けられた透明膜２０ａと前記λ／４位相差層２３とにより形成しているため、前記液晶層厚調整層２０とは別にλ／４位相差層２３を設ける場合に比べて、液晶表示素子の製造を容易にすることができる。
【００８６】
なお、上記実施例では、前記透明膜２０ａとλ／４位相差層２３を前基板１の内面に設けているが、前記透明膜２０ａは、後基板１の内面に設けても、一対の基板１，２の両方の内面に設けてもよい。
【００８７】
（第２の実施形態）
図７はこの発明の第２の実施例を示す液晶表示素子の一部分の断面図である。なお、この実施例において、上述した第１の実施例と同じものについては、図に同符号を付してその説明を省略する。
【００８８】
この実施例の液晶表示素子は、前基板１の内面に、複数の画素１００の反射表示部１００ａにそれぞれ対応させて、上記第１の実施例における透明膜２０ａとλ／４位相差層２３との積層膜の膜厚と同じ厚さのλ／４位相差層２３を設け、このλ／４位相差層２３により、前記反射表示部１００ａの液晶層厚ｄ１を前記反射表示部１００ａのΔｎｄ１が透過光に１／４波長の位相差を与える値になる厚さに調整する液晶層厚調整層２０を形成したものであり、他の構成は第１の実施例と同じである。
【００８９】
この実施例の液晶表示素子は、前基板１の内面に、複数の画素１００の反射表示部１００ａにそれぞれ対応させて前記厚さのλ／４位相差層２３を設け、前記反射表示部１００ａの液晶層厚ｄ１を前記反射表示部１００ａのΔｎｄ１が透過光に１／４波長の位相差を与える値になる厚さに調整する液晶層厚調整層２０を、前記λ／４位相差層により形成しているため、液晶表示素子の製造を上記第１の実施例よりもさらに容易にすることができる。
【００９０】
（他の実施形態）
なお、上述した実施例の液晶表示素子は、櫛形導電膜４ａからなる信号電極４を備えたものであるが、前記信号電極４は、複数のスリットを互いに平行に形成したスリット付き導電膜により形成してもよい。
【００９１】
また、上記各実施例では、後基板２の内面の信号電極４よりも前記基板２側に、前記信号電極４と絶縁してコモン電極５を設けているが、ＴＦＴ６に接続された信号電極を、画素領域に対応する形状の導電膜により形成し、その信号電極よりも液晶層側に、前記信号電極と絶縁して、櫛形導電膜またはスリット付き導電膜からなるコモン電極を設けてもよい。
【００９２】
さらに、上記各実施例では、後基板２の内面に、複数の信号電極４とコモン電極５を設けているが、前記信号電極４とコモン電極５は、前基板１の内面に設けてもよく、また、前記画素１００を反射表示部１００ａと透過表示部１００ｂとに区分する反射膜１９は、前記後基板２の内面に設けてもよい。
【００９３】
また、上記各実施例では、前記複数の画素１００の反射表示部１００ａにそれぞれ対応させて、透過光に１／４波長の位相差を与えるλ／４位相差層２３を設けているが、前記λ／４位相差層２３は、前記複数の画素１００の透過表示部１００ａにそれぞれ対応させて設け、前記反射表示部１００ａの液晶層厚ｄ１を前記反射表示部１００ａのΔｎｄ１が透過光に１／４波長の位相差を与える値になる厚さに調整する液晶層厚調整層２０を、光学的に等方性な透明膜により形成してもよい。
【００９４】
その場合も、一対の基板１，２の配向処理方向１ａ．２ａと一対の偏光板２１，２２の吸収軸２１ａ，２２ａの向きと前記λ／４位相差層２３の遅相軸２３ａの向きは、図５と同じ向きか、或いはそれと直交する向きにすればよく、このようにすることにより、前記各画素１００の反射表示部１００ａの表示と透過表示部１００ｂの表示の両方を、無電界暗表示（ノーマリーブラック表示）にし、前記反射表示部１００ａによる反射表示と、前記透過表示部１００ｂによる透過表示とを、表示の明暗を反転させること無く行なうとともに、前記反射表示と透過表示の両方の明るさ及びコントラストを高くすることができる。
【００９５】
さらに、上記実施例では、前記λ／４位相差層２３を、前基板１の内面に設けているが、前記λ／４位相差層２３を前記画素１００の反射表示部１００ａに対応させて設ける場合、このλ／４位相差層２３は、前記反射膜１９と前側偏光板２１との間であれば、後基板２の内面、または前基板１と前側偏光板２１との間に設けてもよい。
【００９６】
また、前記λ／４位相差層２３を前記画素１００の透過表示部１００ｂに対応させて設ける場合、このλ／４位相差層２３は、前側と後側の一対の偏光板２１，２２の間であれば、後基板２の内面、前基板１と前側偏光板２１との間、後基板１と後側偏光板２２との間のいずれに設けてもよい。
【図面の簡単な説明】
【００９７】
【図１】この発明の第１の実施例を示す液晶表示素子の一方の基板の一部分の平面図。
【図２】前記液晶表示素子の図１のII−II線に沿う断面図。
【図３】前記液晶表示素子の図１のII−II線に沿う断面図。
【図４】前記液晶表示素子の図１のIV−IV線に沿う断面図。
【図５】前記液晶表示素子の一対の基板の配向処理方向と、一対の偏光板の吸収軸の向きと、λ／４位相差層の遅相軸の向きを観察側から見た図。
【図６】前記液晶表示素子の１つの画素における無電界時と横電界生成時の液晶分子の分子長軸の向きを観察側から見た図。
【図７】この発明の第２の実施例を示す液晶表示素子の一部分の断面図。
【符号の説明】
【００９８】
１…前基板（観察側基板）、２…後基板（反対側基板）、１ａ，２ａ…配向処理方向、３…液晶層、３ａ…液晶分子、４…信号電極、４ａ…櫛形導電膜、４ｂ…櫛歯部、５…コモン電極、５ａ…行方向導電膜、５ｂ…電極部、６…ＴＦＴ（能動素子）、７…ゲート電極（制御電極）、８…ゲート絶縁膜、９…ｉ型半導体膜、１０…ドレイン電極（入力電極）、１１…ソース電極（出力電極）、１２…走査線、１３…信号線、１４…層間絶縁膜、１５…遮光膜、１６Ｒ，１６Ｇ，１６Ｂ…カラーフィルタ、１７，１８…配向膜、１９…反射膜、２０…液晶層厚調整層、２０ａ…透明膜、２１…前側（観察側）偏光板、２１ａ…吸収軸、２２…後側（反対側）偏光板、２２ａ…吸収軸、２３…λ／４位相差層、２３ａ…遅相軸、２４…静電気遮断導電膜、１００…画素、１００ａ…反射表示部、１００ｂ…透過表示部。
【図１】
2008009155.tif 000003
【図２】
2008009155.tif 000004
【図３】
2008009155.tif 000005
【図４】
2008009155.tif 000006
【図５】
2008009155.tif 000007
【図６】
2008009155.tif 000008
【図７】
2008009155.tif 000009